(57)【要約】【課題】画像パターンの重ねを行い、高い歩留まりで画像パターンを形成する方法を提供することである。【解決手段】スクリーン版下面にインキ剥離性を有するマスクパターンを備えたスクリーン版を用いた印刷方法であって、スクリーン版の下面に設けられたインキ剥離性を有するマスクパターンに第１のインキを付与する工程と、前記スクリーン版の下面を印刷用基材に接触させて、前記第１のインキを前記スクリーン版の下面から印刷用基材に転写して、第１の画像パターンを形成する工程と、前記スクリーン版に第２のインキを付与し、前記スクリーン版のうち前記インキ剥離性のマスクパターンが形成されていない開口部から、第２のインキを印刷用基材に吐出して、前記第１の画像パターンと隣接する位置に第２の画像パターンを形成する工程とを備えたことを特徴とする印刷方法【選択図】図１
2010247534.tif 000002
【特許請求の範囲】
【請求項１】
スクリーン版下面にインキ剥離性を有するマスクパターンを備えたスクリーン版を用いた印刷方法であって、
（ａ）スクリーン版の下面に設けられたインキ剥離性を有するマスクパターンに第１のインキを付与する工程と、
（ｂ）前記スクリーン版の下面を印刷用基材に接触させて、前記第１のインキを前記スクリーン版の下面から印刷用基材に転写して、第１の画像パターンを形成する工程と、
（ｃ）前記スクリーン版に第２のインキを付与し、前記スクリーン版のうち前記インキ剥離性のマスクパターンが形成されていない開口部から、第２のインキを印刷用基材に吐出して、前記第１の画像パターンと隣接する位置に第２の画像パターンを形成する工程とを備えたことを特徴とする印刷方法。
【請求項２】
前記スクリーン版の下面に設けられたインキ剥離性を有するマスクパターンは、その一部が凸形状となるように形成されていることを特徴とする請求項１に記載の印刷方法。
【請求項３】
前記（ａ）スクリーン版の下面に設けられたインキ剥離性を有するマスクパターンに第１のインキを付与する工程が、
（ａ１）前記スクリーン版の下面のインキ剥離性を有するマスクパターンよりもインキ剥離性が高い平滑な基材上にインキ液膜を均一な膜厚になるように塗工し、これを予備乾燥した後に、該塗工面と前記スクリーン版の下面のインキ剥離性を有するマスクパターンに接触させることにより、該インキ液膜を転移させる工程であることを特徴とする請求項１〜２に記載の印刷方法。
【請求項４】
前記スクリーン版の上面から第２のインキをスキージングしながら、スクリーン版に圧力をかけることにより、
前記（ｂ）前記スクリーン版の下面を印刷用基材に接触させて、前記第１のインキを前記スクリーン版の下面から印刷用基材に転写して、第１の画像パターンを形成する工程と、
前記（ｃ）前記スクリーン版に第２のインキを付与し、前記スクリーン版のうち前記インキ剥離性を有するマスクパターンが形成されていない開口部から、第２のインキを印刷用基材に吐出して、前記第１の画像パターンと隣接する位置に第２の画像パターンを形成する工程とを同時に行い、２種類の画像パターンを同時に形成することを特徴とする請求項１〜３のいずれかに記載の印刷方法。
【請求項５】
前記スクリーン版の上面からスクリーン版に圧力をかけることにより、
前記（ｂ）前記スクリーン版の下面を印刷用基材に接触させて、前記第１のインキを前記スクリーン版の下面から印刷用基材に転写して、第１の画像パターンを形成する工程を行った後、
前記（ｃ）前記スクリーン版のうち前記インキ剥離性の部分が形成されていない開口部から、インクジェットヘッド又はディスペンサにより第２のインキを印刷用基材に滴下して、前記第１の画像パターンと隣接する位置に第２の画像パターンを形成することを特徴とする請求項１〜３のいずれかに記載の印刷方法。
【請求項６】
前記スクリーン版の開口部に、その位置に応じて、少なくとも２種類のインキを付与して、前記第２の画像パターンを形成することを特徴とする請求項５に記載の印刷方法。
【請求項７】
前記スクリーン版が、スクリーン版外側面にインキ剥離性を有するマスクパターンを備えた円筒状のロータリースクリーン版であることを特徴とする請求項１〜６のいずれかに記載の印刷方法。
【請求項８】
スクリーン版外側面にインキ剥離性を有するマスクパターンを備えた円筒状のロータリースクリーン版を用いた印刷方法であって、
（ａ’）ロータリースクリーン版の外側面に設けられたインキ剥離性を有するマスクパターンに第１のインキを付与する工程と、
（ｂ’）前記ロータリースクリーン版の外側面を印刷用基材に接触させて、前記第１のインキを前記ロータリースクリーン版の外側面から印刷用基材に転写して、第１の画像パターンを形成する工程と、
（ｃ’）前記ロータリースクリーン版に第２のインキを付与し、前記ロータリースクリーン版のうち前記インキ剥離性のマスクパターンが形成されていない開口部から、第２のインキを印刷用基材に吐出して、前記第１の画像パターンと隣接する位置に第２の画像パターンを形成する工程とを備えたことを特徴とする請求項７に記載の印刷方法。
【請求項９】
前記（ａ’）ロータリースクリーン版の外側面に設けられたインキ剥離性を有するマスクパターンに第１のインキを付与する工程が、
（ａ’１）前記ロータリースクリーン版の外側面のインキ剥離性を有するマスクパターンよりもインキ剥離性が高い基材上にインキ液膜を均一な膜厚になるように塗工し、これを予備乾燥した後に、該塗工面と前記ロータリースクリーン版の外側面のインキ剥離性を有するマスクパターンに接触させることにより、該インキ液膜を転移させる工程であることを特徴とする請求項７〜８に記載の印刷方法。
【請求項１０】
前記ロータリースクリーン版の内側面から第２のインキをスキージングしながら、ロータリースクリーン版に圧力をかけることにより、
前記（ｂ’）前記ロータリースクリーン版の外側面を印刷用基材に接触させて、前記第１のインキを前記ロータリースクリーン版の外側面から印刷用基材に転写して、第１の画像パターンを形成する工程と、
前記（ｃ’）前記ロータリースクリーン版に第２のインキを付与し、前記ロータリースクリーン版のうち前記インキ剥離性を有するマスクパターンが形成されていない開口部から、第２のインキを印刷用基材に吐出して、前記第１の画像パターンと隣接する位置に第２の画像パターンを形成する工程と、
を同時に行い、２種類の画像パターンを同時に形成することを特徴とする請求項７〜９に記載の印刷方法。
【請求項１１】
前記ロータリースクリーン版の内側面からロータリースクリーン版に圧力をかけることにより、
前記（ｂ’）前記ロータリースクリーン版の外側面を印刷用基材に接触させて、前記第１のインキを前記ロータリースクリーン版の外側面から印刷用基材に転写して、第１の画像パターンを形成する工程と、
前記（ｃ’）前記ロータリースクリーン版に第２のインキを付与し、前記ロータリースクリーン版のうち前記インキ剥離性を有するマスクパターンが形成されていない開口部から、第２のインキを印刷用基材に吐出して、前記第１の画像パターンと隣接する位置に第２の画像パターンを形成する工程と、
を同時に行い、２種類の画像を同時に形成する印刷方法であって、
、前記（ｃ’）工程は、インクジェットヘッド又はディスペンサにより第２のインキを印刷用基材に滴下して行うことを特徴とする請求項７〜９のいずれかに記載の印刷方法。
【請求項１２】
所望の画像パターンをロールトゥロール方式で連続で作製することを特徴とする請求項７〜１１のいずれかに記載の印刷方法。
【請求項１３】
請求項１〜１２のいずれかの印刷方法を用いたことを特徴とする印刷物の製造方法。
【発明の詳細な説明】
【技術分野】
【０００１】
本発明は、スクリーン版を用いて行う一般的な印刷方法を改良するものであり、印刷精度の向上や生産タクトの短縮を目的とした印刷方法である。
【背景技術】
【０００２】
印刷技術の発展とともに、フラットパネルディスプレイ業界における各部材やプリント配線板などの実装部材など、高精細なパターン精度を求められる部材の作製においても、印刷技術が用いられることが多くなった。
【０００３】
印刷技術の発展の中でスクリーン印刷も、スクリーン版を構成するメッシュが年々細線化していくことによってファインパターンの印刷も可能になってきた。そのため、カラーフィルタなど高精細化が求められる部材の作製においても、スクリーン印刷は大いに利用することができる。
【０００４】
スクリーン印刷などの印刷技術に限ったことではないが、カラーフィルタや薄膜トランジスタなどのディスプレイ部材を作製する際には、正確な位置で画像を重ねる必要があり、形成する画像が高精細になればなるほど、位置合わせの精度は高度なものが必要となってくる。
【０００５】
例えば、一般的なカラーフィルタの作製などにおいては、まずブラックマトリクスをフォトリソグラフィー技術や印刷技術を用いて形成する際に、位置合わせ用のアライメントパターンも形成しておき、その後各ＲＧＢ画像パターンを所定の位置に形成する際に、位置合わせ用パターンを用いて正確に画像を重ね合わせる方法がある。
一般的にスクリーン印刷法、フォトリソグラフィー法、インクジェット法やディスペンサーなどを用いてパターンを形成する際には、隣のセルに画像が入ってしまったりして混色を起こしてしまう問題も発生していた。混色などの不良が生じると修正が難しく、歩留まりを下げる問題があった。
そこで、画像を所定の位置に形成する際には、このような不良を防止するため、アライメントの調節工程を設けて、アライメントパターンを観察する機構が装置に必要になっていた。
さらに、近年、画像パターンが高精細することに伴い、より高性能な位置合わせ装置等が必要となり、設備投資負担がさらに必要となる問題が生じていた。
【０００６】
スクリーン印刷によってカラーフィルタの作製する際には、ブラックマトリクスの一部をアライメントパターンとして利用し、位置合わせを行ったうえで、スクリーン版のメッシュの開口部からＲＧＢインキをそれぞれ吐出して形成する方法が知られている。
このときに一般的なオフコンタクト方式のスクリーン印刷を用いた場合には、スクリーン版と印刷用基材の間に所定のギャップがあるために版伸びが生じやすく、位置合わせがずれたときに隣のセルへの混色が他の方法に比べて起こりやすい。
そのため、スクリーン印刷を用いてカラーフィルタを製造する際には、版伸びを考慮してスクリーン版を設計した上で、高度な位置合わせを行うことが求められていた。
【０００７】
隣のセルへの混色問題を解決するために、スクリーン印刷でＲＧＢ画像パターンの形成時に、基板上に予め設けられたブラックマトリクスの表面にスクリーン版の下面を接するようにして混色を防ぐ方法が知られている（特許文献１）
しかしながら、この方法を用いた場合でも結局ブラックマトリクスとＲＧＢパターンとのアライメントを精度よく合わせる必要があり、結局高度な位置合わせ精度が求められることに変わりはなかった。
【先行技術文献】
【特許文献】
【０００８】
【特許文献１】特開２００４−２０２７７８号公報
【発明の概要】
【発明が解決しようとする課題】
【０００９】
本発明は、上記のような従来の問題を解決するためになされたものであり、その課題は高度な位置合わせ技術を必要とせずに、画像パターンの重ねを行い、高い歩留まりで画像パターンを形成する方法を提供することである。
【課題を解決するための手段】
【００１０】
上記課題を解決するため、本願発明者らは、新規なスクリーン版及びスクリーン印刷方法について鋭意研究を行い、以下の一連の発明を完成させるに至った。
以下、発明の概要について説明する。
［請求項１］
スクリーン版下面にインキ剥離性を有するマスクパターンを備えたスクリーン版を用いた印刷方法であって、
（ａ）スクリーン版の下面に設けられたインキ剥離性を有するマスクパターンに第１のインキを付与する工程と、
（ｂ）前記スクリーン版の下面を印刷用基材に接触させて、前記第１のインキを前記スクリーン版の下面から印刷用基材に転写して、第１の画像パターンを形成する工程と、
（ｃ）前記スクリーン版に第２のインキを付与し、前記スクリーン版のうち前記インキ剥離性のマスクパターンが形成されていない開口部から、第２のインキを印刷用基材に吐出して、前記第１の画像パターンと隣接する位置に第２の画像パターンを形成する工程とを備えたことを特徴とする印刷方法。
［請求項２］
前記スクリーン版の下面に設けられたインキ剥離性を有するマスクパターンは、その一部が凸形状となるように形成されていることを特徴とする請求項１に記載の印刷方法。
［請求項３］
前記（ａ）スクリーン版の下面に設けられたインキ剥離性を有するマスクパターンに第１のインキを付与する工程が、
（ａ１）前記スクリーン版の下面のインキ剥離性を有するマスクパターンよりもインキ剥離性が高い平滑な基材上にインキ液膜を均一な膜厚になるように塗工し、これを予備乾燥した後に、該塗工面と前記スクリーン版の下面のインキ剥離性を有するマスクパターンに接触させることにより、該インキ液膜を転移させる工程であることを特徴とする請求項１〜２に記載の印刷方法。
［請求項４］
前記スクリーン版の上面から第２のインキをスキージングしながら、スクリーン版に圧力をかけることにより、
前記（ｂ）前記スクリーン版の下面を印刷用基材に接触させて、前記第１のインキを前記スクリーン版の下面から印刷用基材に転写して、第１の画像パターンを形成する工程と、
前記（ｃ）前記スクリーン版に第２のインキを付与し、前記スクリーン版のうち前記インキ剥離性を有するマスクパターンが形成されていない開口部から、第２のインキを印刷用基材に吐出して、前記第１の画像パターンと隣接する位置に第２の画像パターンを形成する工程とを同時に行い、２種類の画像パターンを同時に形成することを特徴とする請求項１〜３
のいずれかに記載の印刷方法。
［請求項５］
前記スクリーン版の上面からスクリーン版に圧力をかけることにより、
前記（ｂ）前記スクリーン版の下面を印刷用基材に接触させて、前記第１のインキを前記スクリーン版の下面から印刷用基材に転写して、第１の画像パターンを形成する工程を行った後、
前記（ｃ）前記スクリーン版のうち前記インキ剥離性の部分が形成されていない開口部から、インクジェットヘッド又はディスペンサにより第２のインキを印刷用基材に滴下して、前記第１の画像パターンと隣接する位置に第２の画像パターンを形成することを特徴とする請求項１〜３のいずれかに記載の印刷方法。
［請求項６］
前記スクリーン版の開口部に、その位置に応じて、少なくとも２種類のインキを付与して、前記第２の画像パターンを形成することを特徴とする請求項５に記載の印刷方法。
［請求項７］
前記スクリーン版が、スクリーン版外側面にインキ剥離性を有するマスクパターンを備えた円筒状のロータリースクリーン版であることを特徴とする請求項１〜６のいずれかに記載の印刷方法。
［請求項８］
スクリーン版外側面にインキ剥離性を有するマスクパターンを備えた円筒状のロータリースクリーン版を用いた印刷方法であって、
（ａ’）ロータリースクリーン版の外側面に設けられたインキ剥離性を有するマスクパターンに第１のインキを付与する工程と、
（ｂ’）前記ロータリースクリーン版の外側面を印刷用基材に接触させて、前記第１のインキを前記ロータリースクリーン版の外側面から印刷用基材に転写して、第１の画像パターンを形成する工程と、
（ｃ’）前記ロータリースクリーン版に第２のインキを付与し、前記ロータリースクリーン版のうち前記インキ剥離性のマスクパターンが形成されていない開口部から、第２のインキを印刷用基材に吐出して、前記第１の画像パターンと隣接する位置に第２の画像パターンを形成する工程とを備えたことを特徴とする請求項７に記載の印刷方法。
［請求項９］
前記（ａ’）ロータリースクリーン版の外側面に設けられたインキ剥離性を有するマスクパターンに第１のインキを付与する工程が、
（ａ’１）前記ロータリースクリーン版の外側面のインキ剥離性を有するマスクパターンよりもインキ剥離性が高い基材上にインキ液膜を均一な膜厚になるように塗工し、これを予備乾燥した後に、該塗工面と前記ロータリースクリーン版の外側面のインキ剥離性を有するマスクパターンに接触させることにより、該インキ液膜を転移させる工程であることを特徴とする請求項７〜８に記載の印刷方法。
［請求項１０］
前記ロータリースクリーン版の内側面から第２のインキをスキージングしながら、ロータリースクリーン版に圧力をかけることにより、
前記（ｂ’）前記ロータリースクリーン版の外側面を印刷用基材に接触させて、前記第１のインキを前記ロータリースクリーン版の外側面から印刷用基材に転写して、第１の画像パターンを形成する工程と、
前記（ｃ’）前記ロータリースクリーン版に第２のインキを付与し、前記ロータリースクリーン版のうち前記インキ剥離性を有するマスクパターンが形成されていない開口部から、第２のインキを印刷用基材に吐出して、前記第１の画像パターンと隣接する位置に第２の画像パターンを形成する工程と、
を同時に行い、２種類の画像パターンを同時に形成することを特徴とする請求項７〜９に記載の印刷方法。
［請求項１１］
前記ロータリースクリーン版の内側面からロータリースクリーン版に圧力をかけることにより、
前記（ｂ’）前記ロータリースクリーン版の外側面を印刷用基材に接触させて、前記第１のインキを前記ロータリースクリーン版の外側面から印刷用基材に転写して、第１の画像パターンを形成する工程と、
前記（ｃ’）前記ロータリースクリーン版に第２のインキを付与し、前記ロータリースクリーン版のうち前記インキ剥離性を有するマスクパターンが形成されていない開口部から、第２のインキを印刷用基材に吐出して、前記第１の画像パターンと隣接する位置に第２の画像パターンを形成する工程と、
を同時に行い、２種類の画像を同時に形成する印刷方法であって、
、前記（ｃ’）工程は、インクジェットヘッド又はディスペンサにより第２のインキを印刷用基材に滴下して行うことを特徴とする請求項７〜９のいずれかに記載の印刷方法。
［請求項１２］
所望の画像パターンをロールトゥロール方式で連続で作製することを特徴とする請求項７〜１１のいずれかに記載の印刷方法。
［請求項１３］
請求項１〜１２のいずれかの印刷方法を用いたことを特徴とする印刷物の製造方法。
【発明の効果】
【００１１】
本発明によれば、スクリーン版下面に第１のインキ液膜を形成したうえで、印刷用基材に接触させ、その状態のときにスクリーン版の開口部から第２のインキ群を吐出して第２の画像を形成する為、第２の画像を形成するインキ群が第１の画像に乗り上げることがなかった。そのため隣のセルへの混色の発生を防止できた。さらに乗り上げによる高低差のムラを生じることもなかった。
【００１２】
また、本発明によれば、スクリーン版上面から第２のインキをスキージングして圧力をかけることにより、スクリーン版下面からの第１のインキ液膜の転写と、開口部からの第２のインキ吐出を同時に行ったので、第２の画像を第１の画像に重ねる為の位置合わせ作業が必要なくなり、生産性を向上させることができた。さらに、第１の画像と第２の画像のアライメントを別途測ることなく、精度高く画像を形成することができた。
【００１３】
また、スクリーン版下面の第１のインキ液膜と印刷用基材を接触状態としたうえで、スクリーン版上面の開口部から第２のインキ群をインクジェットやディスペンサなどにより滴下する方法においては、インキを滴下する場所の位置合わせ作業が必要となるが、仮に位置合わせがずれてしまっても、スクリーン版上面の開口部でないところにインキが滴下され、印刷用基材までは届かない為、不良となることはなかった。
【００１４】
いずれの方法においても、スクリーン版と印刷用基材が一回相対する動作の中で第１の画像の形成と第２の画像の形成を行う為、画像パターンを作製するタクトが大幅に短縮し、生産性を向上させることができた。
【００１５】
そしてさらに、スクリーン版としてロータリースクリーン版を用いて、連続的に印刷を行うことにより、一層生産タクトを大幅に縮め、生産性を向上することができた。また、ロータリースクリーン版を用いる場合では、スクリーン版を圧力により印刷用基材面まで押し下げる必要がないため、伸びや変形のない精密な印刷をすることができる。
【００１６】
また、常に溶剤吸収による膨潤などがない面を使用することができるうえ、ロータリースクリーン版の外側面と印刷用基材が接触する箇所が線接触となることにより、版離れが良好なコンタクト印刷方式となり、欠陥を減少させることができるようになった。
ロータリースクリーン版を用いることにより、同等の印刷精度で連続して２種類の画像パターンを形成することができるが、第２のインキ群の吐出方法として、ディスペンサやインクジェットによる滴下で行う場合でも、予めディスペンサやインクジェットの位置を設定しておけば、アライメント作業をせずに連続して印刷をし続けることができる。
【図面の簡単な説明】
【００１７】
【図１】本発明の印刷方法の概略図
【図２】本発明の印刷方法の概略図
【図３】本発明の印刷方法の概略図
【図４】本発明の印刷方法の概略図
【発明を実施するための形態】
【００１８】
以下に、本発明に係る微細パターンの印刷方法を実施するための形態を示す。
本発明における印刷方法で用いることができるスクリーン版の一例としては、図１（ａ）のように適当な版枠内に張られたメッシュと、メッシュの下面にインキ剥離性を付与したマスクパターンを設けた平面状のスクリーン版が挙げられる。マスクパターンとして、例えば、樹脂系の乳剤により膜状に形成された乳剤膜を用いることができる。
マスクパターンには膜厚方向に貫通する複数の開口部が所定の配列パターンで形成されており、それらの開口部から第２のインキを吐出できるようになっている。
【００１９】
スクリーン版に乳剤膜を形成する方法としては、メッシュに直接乳剤を塗布してフォトリソグラフィーによって開口部パターンを形成する直接法や、乳剤膜を作製した後にメッシュに貼り付けてからフォトリソグラフィーによって開口部パターンを形成する直間法や、乳剤膜上にフォトリソグラフィーによって開口部パターンを形成した後にメッシュに貼り付ける間接法などが挙げられる。
【００２０】
一般的なスクリーン印刷において、乳剤膜表面の平滑性は精度の良い印刷を行う為に重要である。本発明ではスクリーン版下面から第１のインキ液膜を転写するという機構を取るため、平滑性はさらに高い方が好ましい。よって、直間法や間接法により乳剤膜を形成することが推奨されるが、直接法においても乳剤膜形成後に鏡面加工を行うことにより、平滑性を向上させることができる。
【００２１】
乳剤膜の厚さは１μｍ以上あれば本発明で適用することができるが、印刷性を考慮に入れると１〜１００μｍの厚さが望ましく、形成する画像パターンの狙い厚さに応じて乳剤膜の厚さを選択すればよい。
【００２２】
また図２（ａ）の例のように、第１の画像を画像パターンとして形成する為に、スクリーン版下面に所望の画像パターン形状に凸部を形成する方法としては、前記の方法により一層目の乳剤膜を形成した上から、さらに直接法、直間法、間接法により所望の画像パターン形状の乳剤膜を凸部として形成する方法が提案できる。
【００２３】
その他にも、間接法でメッシュに乳剤膜を貼り付ける前に、乳剤膜上に凸部を予め形成しておくという方法でも、凸部を作製できる。
【００２４】
この際の凸部は１μｍ以上の厚さがあることが望ましいが、第１のインキ液膜を凸部上に形成する際に、凸部以外の一層目のインキ剥離性を有する部分上にインキ液膜が付着してしまうことを避ける為に、凸部は２０μｍ以上の厚さがあることがさらに望ましい。
【００２５】
本発明では、スクリーン版の下面のマスクパターンにインキ剥離性を付与する必要があるが、例えば、前述の方法などでメッシュ上に形成した乳剤膜にインキ剥離性を付与する方法がある。具体的には、乳剤膜を形成用の乳剤にフッ素系やシリコーン系の乳剤を用いることにより、この部分にインキ剥離性を付与することができる。或いは、乳剤層として広く試用されているジアゾ系の感光材などを用いて、前記の方法で乳剤層を形成した後に、表面をフッ素系やシリコーン系の樹脂でコーティングしたり、シランカップリング剤などによって表面を修飾したりすることによっても、この部分にインキ剥離性を付与することができる。
【００２６】
一層目の乳剤層の上から所望の画像パターン形状に凸部を形成する場合は、凸部の乳剤層にだけインキ剥離性を持たせれば十分なので、凸部の乳剤層に対して前記の方法を適用すればよい。
【００２７】
スクリーン版としては、ステンレスや銅などの金属にインキ吐出用の穴を開口部として設けている図３（ａ）のようなメタルマスクを用いることもできる。メタルマスクはメッシュやメッシュ上に形成された乳剤膜が存在しないため、メタルマスクの下面にインキ剥離性を付与する為には、表面をフッ素系やシリコーン系の樹脂でコーティングする方法を用いることもできる。
【００２８】
スクリーン版下面に所望の画像パターン形状に凸部を形成する場合には、メタルマスクの下面にフッ素系やシリコーン系の樹脂を用いて直接凸部を形成する方法を用いることができる。
【００２９】
また、スクリーン版として、図４に示すようなロータリースクリーン版を用いる場合には、以下に示すようなラッカー法、ガルバノ法、エッチング法によって製造することができる。
最も一般的なラッカー法は、予め多数の開口部を有するメッシュのシリンダーにレジストを塗布し、このレジストに印刷画像を焼き付けた後、余分なレジストを除去して、印刷画像に対応したシリンダーのメッシュ部分を覆った円筒状スクリーン版を形成するという製造方法である。
【００３０】
一方ガルバノ法というのは、まず基材となるマザーロールの外周面に均一に感光性のレジストを塗布し、このレジストに印刷する原稿の画像を焼き付け、凝固部分以外を除去してマスク層を形成する。その後、メッキ槽に浸してマスク層が形成されていない部分にメッキ層を形成し、メッキ層を所定の厚みまで成長させた後、マザーロールからマスク層を除去する。最後にメッキ層からマザーロールを抜き取ると、円筒状スクリーン版が得られるという方法である。
【００３１】
また、エッチング法は、ガルバノ法と逆に、まずマザーロールの外周面全体にメッキ層を形成し、このメッキ層に印刷画像に対応したエッチングを行いインキを押し出す開口部を形成し、円筒状スクリーン版を得るものである。
【００３２】
これらの製造方法によって作製したロータリースクリーン版の外側面に、インキ剥離性を有するマスクパターン、もしくは一部が凸形状となったインキ剥離性を有するマスクパターンを前述の方法で形成する。
【００３３】
以下、本発明のスクリーン版を用いた印刷方法を実施する
【００３４】
まず、平面状のスクリーン版を用いた場合についてだが、インキ剥離性を有するスクリーン版の下面に第１のインキ液膜を形成するには、インキ転移用基板３１としてスクリーン版下面のインキ剥離性よりもインキ剥離性が高い平滑な基材により行うことができる。このインキ転移用基板３１の上にインキ液膜２１を均一な膜厚になるように塗工し、予備乾燥した後に、スクリーン版下面に接触させることにより、図１（ｂ）のようにインキ液膜２１を、スクリーン版の下面に転移させることにより行う。
【００３５】
インキ転移用基板３１として用いる材料は、スクリーン版下面のインキ剥離性を考慮して選択することが可能であり、フッ素系やシリコーン系の樹脂を用いて平滑性の高い基材を作製すればよい。
インキ転移用基板３１のインキ剥離性がスクリーン版下面のインキ剥離性よりも低いと、インキが転移する際にちぎれなどが生じる可能性がある。インキ転移用基板表面のインキ剥離性は、スクリーン版下面にインキ剥離性を付与した材料と同様のもので与えることができるが、相互のインキ剥離性を考慮して選択する必要がある。材料の選択は各材料の表面張力や接触角などの物性値を参考にすることができる。例えばシリコーン樹脂でスクリーン版下面の乳剤膜を作製した場合には、フッ素樹脂やフッ素化シリコーン樹脂のコート剤を用いて平滑性の高い基材を作製すればよい。
【００３６】
そして、第１のインキ液膜２１を、スクリーン版の下面のインキ剥離性を有する部分に形成した後に、図１（ｃ）のようにスクリーン版上面から第２のインキ２２をスキージングして圧力をかけることにより、スクリーン版下面からの第１のインキ液膜２１の転写を行う。
この際に、開口部からの第２のインキの吐出を同時に行うこともできる。すると、第１のインキと第２のインキを、隣合う位置に、乗り上げ、混色を発生させることなく、印刷用基材に転写することができる。
この場合においては、スクリーン版と印刷用基材のギャップをとってオフコンタクト方式で印刷を行うのが理想である為、用いるスクリーン版は一般的なスクリーン版が良い。
この方式では、第２のインキの吐出は言わばスクリーン印刷と同様の方法で行うこととなるが、その点から第２のインキの版離れを考慮すると、版離れが良好となるオフコンタクト方式で印刷を行うのが理想であり、そのとき用いるスクリーン版は一般的なスクリーン版が良いと言える。
【００３７】
一方、図３（ｂ）のように、スクリーン版下面の第１のインキ液膜２１と印刷用基材３１を接触状態としたうえで、スクリーン版上面の開口部から第２のインキ群２２をインクジェット３４などにより滴下する方法がある。この方法では、コンタクト方式で印刷を行うのが理想である。この方法では、第２のインキ付与した後、印刷用基材を垂直に下げて剥離する方法で行うことになるため、メタルマスクをスクリーン版として用いることが好ましい。
この方式では、自ずとコンタクト方式での印刷となるが、第２のインキ群２２を滴下した後のスクリーン版と印刷用基材の剥離方法としては、印刷用基材を垂直に下げて剥離する方法をとることになる。一般的なスクリーン印刷のコンタクト方式のように、メタルマスクをスクリーン版として用いることで、良好な画像パターンを得ることが可能である。
【００３８】
ロータリースクリーン版を用いる場合にも、外側面のインキ剥離性を有するマスクパターン部分にインキ液膜を形成する際には、平面状のスクリーン版の場合と同様の方法を用いることができる。インキ転移用基板４６は、平面状のものでも、ロータリー状のものでも、どちらでもインキ液膜を形成することが可能である。
【００３９】
ロータリースクリーン版による印刷形態では、ロータリースクリーン版が常に連続して動作しているという状況から、印刷する際には第２のインキの吐出方法に関係なく、常にロータリースクリーン版の外側面と印刷用基材が接触するコンタクト方式での印刷となる。しかし、第１のインキが転移する箇所では印刷用基材と線接触することとなり、版離れの良いコンタクト方式と言えることが出来る。
【００４０】
ロータリースクリーン版の内側面から第２のインキを吐出する方法として、図４のようにスキージングして吐出する場合は、スキージ４５は圧力はかけるが水平方向への動作はせずに、ロータリースクリーン版の回転動作によって第２のインキを吐出する。その際に、スキージングによる圧力でロータリースクリーン版の外側面から第１の画像パターンが印刷用基材に転移し、２つの画像パターンを同時に形成することができる。
【００４１】
その際のロータリースクリーン版は、ロータリースクリーン版軸棒４４と円筒状の端部で支えられるような構造になっており、その内部でロータリースクリーン版軸棒４４と連動する形でスキージ４５が存在する。ロータリースクリーン版の内部には、インキを供給するためのインキ供給管を設けることも出来るし、ロータリースクリーン版軸棒４４がその役割を兼ねて、スキージ４５に第２のインキ４９を供給する構造にすることも可能である。
【００４２】
また、第２のインキの吐出方法として、インクジェットやディスペンサーを用いる際には、ロータリースクリーン版の内側にその機構を設け、ロータリースクリーン版の回転動作に合わせてマスクパターンが形成されていない開口部に第２のインキを滴下することにより、印刷用基材に第１の画像パターンと第２の画像パターンを形成することができる。
【００４３】
ロータリースクリーン版からの第１の画像パターンの転移と、第２の画像パターンの吐出をした後に、ロータリースクリーン版の外側面のインキが塗工してあった部分を洗浄して元の状態と同じにすることにより、ロータリースクリーン版が回転してまた印刷するときも同様の精度で連続印刷をすることが可能になる。洗浄する機構としては、粘着性を有するインキ洗浄用シリンダー５１を設けて、ロータリースクリーン版の外側面のインキ剥離性を有する部分に残存したインキを除去する方法が提案できる。
【００４４】
本発明では、印刷用基材に半乾燥状態の第１のインキ液膜を接触させながら、第１のインキが形成するセル内に、第２のインキ群を吐出することになる。よって、第１のインキの性能として、スクリーン版上面から圧力をかけた際に変形せず、尚且つ第２のインキ群と混色しない、乾燥性の良いものが好ましい。
【００４５】
第２のインキに関しては特に乾燥性は求められないが、スキージングして圧力をかけることによって第２のインキを吐出することを考慮し、開口部の大きさや狙いのインキ膜厚などに応じて、吐出性が良く、版離れの良い粘度のインキを選択する必要がある。インクジェットやディスペンサで第２のインキ群を滴下する場合は、粘度が低めのインキを選択して、ノズルからの吐出を安定化させることにより、膜厚にムラが生じないようにする。
【００４６】
本発明で用いるインキは、顔料成分と樹脂成分を溶媒中に溶解、分散させることにより作製したものを用いることができる。顔料成分としては、求める色によっても異なるが一般的に用いられる無機顔料、有機顔料を用いることができる。樹脂成分としては、ポリエステル系樹脂、アクリル系樹脂、エポキシ系樹脂、メラミン系樹脂、ベンゾグアナミン系樹脂などから１つ以上のものを使用することができる。溶剤には、エステル系溶剤、アルコール系溶剤及びエーテル系溶剤などが使用される。エステル系溶剤として、プロピレングリコールモノメチルエーテルアセテート、エトキシエチルプロピオネート、アルコール系溶剤として、１−ブタノール、３メトキシ−３メチル−１ブタノール、１−ヘキサノール、１，３ブタンジオール、１−ペンタノール、２−メチル１−ブタノール、４−メチル−２−ペンタノール、エーテル系溶剤として、プロピレングリコールモノメチルエーテル、プロピレングリコールモノエチルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル、ジエチレングリコールブチルエーテル、ジエチレングリコールエチルエーテルなどが挙げられる。いずれの場合も、求める色味や乾燥性、粘度などの物性を考慮して各材料を選択する必
要がある。
【００４７】
本発明の方法により印刷できる印刷用基材の対象としては、特に限定されることはなく、ガラス、プラスチックフィルム、金属など様々なものに印刷することができる。
【００４８】
（実施例１）
図２（ａ）に示すように、縦４５０ｍｍ×横６００ｍｍの枠に張られた、縦３５０ｍｍ×横５００ｍｍの２９０メッシュのステンレススクリーン（糸径２０μｍ）を作製し、このメッシュ上に感光材Ａ（株式会社ムラカミ製「ＳＰ−９４００」）を用いて、間接法により一層目の乳剤膜１３を２５μｍの厚さで形成した。さらに、ＵＶ硬化形のシリコーン樹脂Ａ（信越化学工業株式会社製「Ｘ−６２−７６２２」）を用いて２５μｍ厚、線幅２００μｍの凸部１４を形成した。
【００４９】
縦４５０ｍｍ×横６００ｍｍサイズのガラス基板上にフッ素樹脂Ａ（旭硝子株式会社製「ＣＴＸ−８０７ＡＰ」）を塗布して硬化させたインキ転移用基板３１に、黒色インキを第１のインキ２１として塗工して半乾燥状態とした後に、スクリーン版下面の凸部に接触させることにより第１のインキ液膜を転移させた。
【００５０】
黒色インキは以下の組成で調合した。
カーボンブラック                                                                                    ７．５重量部
インキバインダ樹脂（株式会社東レ製「ＳＰ―５１０」）                      １０重量部
溶媒（Ｎ―メチル―２−ピロリドン（ＮＭＰ））                                    １３０重量部
分散剤（銅フタロシアニン誘導体）                                                       ５重量部
離形剤（ビックケミージャパン株式会社製「ＢＹＫ３３３」）               ０．５重量部
【００５１】
印刷用基材３３として無アルカリガラス基板（株式会社コーニング製）を準備し、スクリーン版上面からスキージングにより圧力をかけることで、赤色インキを第２のインキとして開口部から吐出させつつ、スクリーン版下面に形成された黒色のインキ液膜を転写した。
【００５２】
赤色インキに関しては、以下の組成で混合物を作製した後に、分散機で微分散することで、まずペーストを作製した。
酸化鉄系赤色顔料（同和鉱業株式会社製「ＤＦＥＩＣＲ１００」          １０重量部
化学吸着型高分子分散剤（ＩＣＩ株式会社製ソルスパース）                  １５重量部
ターピネオール（安原油脂株式会社製）                                                １０重量部
【００５３】
前記ペーストを作製した後に、以下の組成で混合分散することにより赤色インキを得た。
ペースト                                                                                                 ５４重量部
エトセルＳＴＤ７ｃｐｓ（ダウケミカル株式会社製）                          ４重量部
ブチルジグリコールアセテート（株式会社ダイセル化学製）                 ４２重量部
【００５４】
この方法により、図２（ｄ）のように黒色インキによる画像パターンの枠の中に赤色イ
ンキの画像を形成することができ、尚且つ黒色画像パターンへの乗り上げや混色がない綺
麗な画像を得ることができた。
（実施例２）
【００５５】
カラーフィルタの画像パターンを本発明の印刷方法にて作製する為に、図３（ａ）のように縦４５０ｍｍ×横６００ｍｍのステンレス板上に、縦２５０ｍｍ×横２５０ｍｍのエリアで、エッチング法によって縦２００μｍ×横１００μｍのＲＧＢ用開口部を一定の間隔で並ぶように形成した。形成したＲＧＢ開口部の周辺にブラックマトリクスの画像パターンを形成すべく、ＵＶ硬化形のシリコーン樹脂Ａにて高さ２５μｍ厚、線幅５０μｍの凸部１４を形成した。また、スクリーン版上面にＲＧＢ画像パターン形成時のアライメントマークをＲＧＢ開口部から離れた外側に数箇所作製した。
【００５６】
実施例１と同様に、縦４５０ｍｍ×横６００ｍｍサイズのガラス基板上にフッ素樹脂Ａを塗布して硬化させたものに、実施例１と同様の黒色インキを塗工し半乾燥状態とした後に、スクリーン版下面の凸部に接触させることにより黒色インキ液膜を第１のインキとして転移させた。
【００５７】
印刷用基材３３として準備した無アルカリガラス基板をステージに吸着して固定し、スクリーン版下面をガラス基板に接触させスクリーン版上面から圧力をかけた。
【００５８】
次にアライメントカメラを用いて位置合わせを行った上で、インクジェット３４を用いて、ＲＧＢインキを第２のインキ群としてそれぞれの開口部から滴下した。各インキは以下のように調合している。
【００５９】
メタクリル酸２０重量部、メチルメタクリレート１０重量部、ブチルメタクリレート５５重量部、ヒドロキシエチルメタクリレート１５重量部を乳酸ブチル３００ｇに溶解し、窒素雰囲気下でアゾビスイソブチルニトリル０．７５重量部を加え７０℃にて５時間の反応によりアクリル共重合体樹脂を得た後、樹脂濃度が１０重量％ になるようにプロピレングリコールモノエチルエーテルアセテートで希釈することで、まずアクリル共重合体樹脂の希釈液を作製した。
【００６０】
その希釈液８０．１ｇに対し、顔料１９．０ｇ、分散剤としてポリオキシエチレンアルキルエーテル０．９ｇを添加して、３本ロールにて混練し、ＲＧＢの各着色ワイスを得た。なお、赤色顔料としてピグメントレッド１７７を、緑色顔料としてピグメントグリーン３６を、青色顔料としてピグメントブルー１５を、各々使用した。得られた各着色ワニスに、プロピレングリコールモノメチルエーテルアセテートを、その顔料濃度が１２〜１５重量％、粘度が１５ｃｐｓになるように各々調製して添加し、ＲＧＢインキを得た。
【００６１】
ＲＧＢインキを滴下した後に、印刷用基材のガラスを固定していたステージを真下に下げることにより垂直にスクリーン版を剥離し、ガラス上にカラーフィルタを図３（ｃ）のように作製した。
【００６２】
ブラックマトリクスをフォトリソグラフィーによって作製し、インクジェットによってＲＧＢ画像パターンを形成する方法と比較すると、ガラス基板上に作製したカラーフィルタはＲＧＢインキがブラックマトリクスへ乗り上げることもなく、隣のセルへの混色もなく良好なサンプルであった。また、カラーフィルタを作製する際のタクトも大幅に短縮することができた。
（実施例３）
【００６３】
円筒状の５００ｍｍ幅の２９０メッシュのステンレススクリーン（糸径２０μｍ）を作製し、ラッカー法で感光材Ａ（株式会社ムラカミ製「ＳＰ−９４００」）で２５μｍの厚さの乳剤膜１３を形成した。さらに、ＵＶ硬化形のシリコーン樹脂Ａ（信越化学工業株式会社製「Ｘ−６２−７６２２」）を用いて２５μｍ厚、線幅２００μｍの凸部４３を形成した。
【００６４】
また、５００ｍｍ幅のシリコーンゴムシリンダー表面上にフッ素樹脂Ａ（旭硝子株式会社製「ＣＴＸ−８０７ＡＰ」）で含浸コーティング皮膜を形成して硬化させたインキ転移用シリンダー４６に、実施例１と同等の黒色インキを第１のインキとして塗工して半乾燥状態とした後に、スクリーン版下面の凸部に接触させることにより第１のインキ４８を液膜として転移させた。
【００６５】
印刷用巻物基材５０として１００μｍ厚、５００ｍｍ幅のＰＥＴフィルム（東レ株式会社製）を準備し、ロータリースクリーン版の内側面からスキージングにより圧力をかけることで、実施例１と同等の赤色インキを第２のインキとして開口部から吐出させつつ、ロータリースクリーン版の外側面に形成された黒色のインキ液膜を転写した。
【００６６】
この方法により、図４のように黒色インキによる画像パターンの枠の中に赤色インキの画像を形成することができ、尚且つ黒色画像パターンへの乗り上げや混色がない綺麗な画像を得ることができた。
【符号の説明】
【００６７】
１１・・・スクリーン版枠
１２・・・メッシュ
１３・・・マスクパターン
１４・・・マスクパターン凸部
１５・・・メタルマスク
２１、４８・・・第１のインキ
２１’ 、４８’・・・第１の画像パターン
２２、４９・・・第２のインキ
２２’ 、４９’・・・第２の画像パターン
３１・・・インキ転移用基板
３２、４５・・・スキージ
３３・・・印刷用基材
３４・・・インクジェットノズル
４１・・・ロータリースクリーン版メッシュ
４２・・・ロータリースクリーン版マスクパターン
４３・・・ロータリースクリーン版マスクパターン凸部
４４・・・ロータリースクリーン版軸棒
４６・・・インキ転移用シリンダー
４７・・・搬送用シリンダー
５０・・・印刷用巻物基材
５１・・・インキ洗浄用シリンダー
【図１】
2010247534.tif 000003
【図２】
2010247534.tif 000004
【図３】
2010247534.tif 000005
【図４】
2010247534.tif 000006